(57)【要約】【課題】  紙容器の外観性を簡易な構成により向上すること。【解決手段】  紙容器１であって、容器本体１０の一面の一部に備えた開口１４まわりから外側に突き出る受筒７０を有し、この受筒７０に蓋８０を着脱可能にするもの。【選択図】  図１
0003140638.tif 000002
【実用新案登録請求の範囲】
【請求項１】
容器本体の一面の一部に備えた開口まわりから外側に突き出る受筒を有し、この受筒に蓋を着脱可能にする紙容器。
【請求項２】
前記容器本体が、
容器本体の開口を一部に備えるとともに、該開口まわりに受筒の外縁部を着座可能にする内側板と、
受筒の筒部を挿着する組込孔を一部に備え、内側板との間に受筒の外縁部を挟み込み保持する外側板とを有する請求項１に記載の紙容器。
【請求項３】
前記受筒の外縁部が容器本体の一面の開口まわりの内側面に接着されてなる請求項１に記載の紙容器。
【請求項４】
容器本体の天面の一部に備えた開口まわりから外側に突き出る受筒を有し、この受筒に蓋を着脱可能にする紙容器であって、
容器本体が、容器本体の胴部を形成する胴板と、胴板の下端に連設されて容器本体の底部を形成する底板と、胴板の上端の一側に連設されて容器本体の内側天面部を形成する内側天板と、胴板の上端の他側に連設されて容器本体の外側天面部を形成する外側天板とを有し、
容器本体の内側天板は、容器本体の天面開口をその一部に備えるとともに、該天面開口まわりに受筒の外縁部を着座可能にし、
容器本体の外側天板は、受筒の筒部を挿着する組込孔をその一部に備え、内側天板との間に受筒の外縁部を挟み込み保持する紙容器。
【考案の詳細な説明】
【技術分野】
【０００１】
本考案は紙容器に関する。
【背景技術】
【０００２】
従来の紙容器は、特許文献１に記載の如く、容器本体の天面の全面に開口を設け、この天面の外周部に蓋を着脱可能にしている。
【特許文献１】特開2003-54537
【考案の開示】
【考案が解決しようとする課題】
【０００３】
特許文献１に記載の紙容器は、蓋を外した容器本体の天面がただ平坦状を呈するものであり、外観の変化に乏しい。
【０００４】
本考案の課題は、紙容器の外観性を簡易な構成により向上することにある。
【課題を解決するための手段】
【０００５】
請求項１の考案は、容器本体の一面の一部に備えた開口まわりから外側に突き出る受筒を有し、この受筒に蓋を着脱可能にするようにしたものである。
【０００６】
請求項２の考案は、請求項１の考案において更に、前記容器本体が、容器本体の開口を一部に備えるとともに、該開口まわりに受筒の外縁部を着座可能にする内側板と、受筒の筒部を挿着する組込孔を一部に備え、内側板との間に受筒の外縁部を挟み込み保持する外側板とを有するようにしたものである。
【０００７】
請求項３の考案は、請求項１の考案において更に、前記受筒の外縁部が容器本体の一面の開口まわりの内側面に接着されてなるようにしたものである。
【０００８】
請求項４の考案は、容器本体の天面の一部に備えた開口まわりから外側に突き出る受筒を有し、この受筒に蓋を着脱可能にする紙容器であって、容器本体が、容器本体の胴部を形成する胴板と、胴板の下端に連設されて容器本体の底部を形成する底板と、胴板の上端の一側に連設されて容器本体の内側天面部を形成する内側天板と、胴板の上端の他側に連設されて容器本体の外側天面部を形成する外側天板とを有し、容器本体の内側天板は、容器本体の天面開口をその一部に備えるとともに、該天面開口まわりに受筒の外縁部を着座可能にし、容器本体の外側天板は、受筒の筒部を挿着する組込孔をその一部に備え、内側天板との間に受筒の外縁部を挟み込み保持するようにしたものである。
【考案の効果】
【０００９】
（請求項１）
(a)紙容器は、容器本体の一面の一部に備えた開口まわりから外側に突き出る受筒を有し、この受筒に蓋を着脱可能にした。蓋を外した容器本体の開口を備える一面の一部に受筒が突き出ることから、紙容器の外観性が向上する。
【００１０】
（請求項２）
(b)容器本体が有する内側板と外側板の間に受筒の外縁部を挟み込み保持することにより、上述(a)の受筒を簡易に設けることができる。
【００１１】
（請求項３）
(c)容器本体の開口まわりの内側面に受筒の外縁部を接着することにより、上述(a)の受筒を簡易に設けることができる。
【００１２】
（請求項４）
(d)容器本体が、容器本体の胴部を形成する胴板と、胴板の下端に連設されて容器本体の底部を形成する底板と、胴板の上端の一側に連設されて容器本体の内側天面部を形成する内側天板と、胴板の上端の他側に連設されて容器本体の外側天面部を形成する外側天板とを有し、容器本体の内側天板は、容器本体の天面開口をその一部に備えるとともに、該天面開口まわりに受筒の外縁部を着座可能にし、容器本体の外側天板は、受筒の筒部を挿着する組込孔をその一部に備え、内側天板との間に受筒の外縁部を挟み込み保持する。従って、容器本体を平板状の単一展開紙から折り上げ形成するとともに、折り上げられた容器本体に受筒を簡易に組込みでき、紙容器の製作性を向上できる。
【考案を実施するための最良の形態】
【００１３】
図１は実施例１の紙容器を示す模式断面図、図２は紙容器の胴部を折り上げた状態を示す模式図、図３は紙容器の内側天板を折り込んだ状態を示す模式図、図４は紙容器の外側天板を折り込んだ状態を示す模式図、図５はプラスチック製受筒を示す模式図、図６は紙製受筒を示す模式図、図７は紙容器の変形例を示す模式図、図８は実施例２の紙容器を示す模式断面図、図９は受筒の接着状態を示す模式図、図１０は実施例３の紙容器を示す模式断面図である。
【実施例】
【００１４】
（実施例１）（図１〜図７）
図１の紙容器１は容器本体１０を有する。容器本体１０は、胴部１１と底部１２と天面１３を有し、天面１３の中央部に備えた開口１４まわりから外側に突き出る受筒７０を有し、この受筒７０の筒部７１に蓋８０を着脱可能にする。
【００１５】
容器本体１０は、図２〜図４に示す如く、胴部１１（本実施例では六角筒状胴部）を形成する胴板２０と、胴板２０の下端に連設されて底部１２を形成する底板３０と、胴板２０の上端の一側（六角筒状胴部１１の一辺）に連設されて天面１３の内側天面部１３Ａを形成する内側天板４０と、胴板２０の上端の他側（六角筒状胴部１１の他の一辺）に連設されて天面１３の外側天面部１３Ｂを形成する外側天板５０とを有する。胴板２０の上端において、内側天板４０と外側天板５０が連設していない部分（胴部１１の残りの四辺）には、胴部１１の内方に折り込まれる中折れフラップ６０が設けられる（図２）。内側天板４０は、胴板２０の上端の一辺に対し折り曲げられ、胴部１１の内方へ折り込み済の中折れフラップ６０の上に載って内側天面部１３Ａを形成するとともに、胴板２０の上端の他側の内側部に差し込まれる差込フラップ４１を有する。外側天板５０は胴板２０の上端の他側に対し折り曲げられ、内側天面部１３Ａを形成している内側天板４０の上に被さって外側天面部１３Ｂを形成するときに、胴部１１の内方へ折り込み済の中折れフラップ６０の胴板２０に対する折り込み線上に切り込み形成してあるスリット６１に差し込まれる差込フラップ５１を有する。
【００１６】
容器本体１０の内側天板４０は、開口１４（直径ｄ1）をその中央部に備えるとともに、上述の如くに内側天面部１３Ａを形成したときに、該開口１４まわりに受筒７０の外縁部７２を着座可能にする（図３）。
【００１７】
容器本体１０の外側天板５０は、受筒７０の筒部７１を概ね遊びなく挿着する組込孔５２（直径ｄ2）をその中央部に備え、内側天板４０との間に受筒７０の外縁部７２を挟み込み保持する（図４）。
【００１８】
尚、受筒７０は、図５に示す如く、外筒部７１Ａと、外筒部７１Ａの上端部から内側に折り返された内筒部７１Ｂにより筒部７１を形成する。受筒７０は、外筒部７１Ａの下端外周部にフランジ状の外縁部７２を備える。受筒７０の内筒部７１Ｂの内径ｄaは開口１４の直径ｄ1よりわずかに大きくし、開口１４の開口縁はウェーブ刃切断具により粗面化され、容器本体１０の内容物を取り出すために受筒７０の筒部７１から開口１４内に差し込まれる使用者の手指が受筒７０の筒部７１や開口１４の開口縁に触れてキズつくことを回避可能にしている。
【００１９】
これにより、紙容器１は、容器本体１０の天面１３の中央部に備えた開口１４まわりから外側に突き出る受筒７０を有し、その受筒７０の筒部７１に蓋８０を着脱可能にする。使用者は、蓋８０を外した受筒７０の筒部７１から開口１４内に手を入れ、容器本体１０の内容物を取出し可能にする。このとき、紙容器１は、板紙、段ボール紙、段ボール紙と板紙の合紙等からなる平板状の単一展開紙から容器本体１０を折り上げ、この容器本体１０に受筒７０を組込み保持する。容器本体１０を紙製とすることにより印刷性を向上できる。受筒７０はプラスチック成形品にて形成できる。
【００２０】
尚、蓋８０は、図４に示す如く、外枠８１と天面部材８２の組立体である。外枠８１は、紙等からなり、短筒状をなす。天面部材８２は、紙又はプラスチック等からなり、外枠８１の枠内に挿入されて外枠８１の上端カール状の上部係止部８１Ａに係止される板状をなす。天面部材８２を透明プラスチック体にて形成するとき、蓋８０の外側から容器本体１０の内容物を視認できる。
【００２１】
本実施例によれば以下の作用効果を奏する。
(a)紙容器１は、容器本体１０の天面１３の中央部に備えた開口１４まわりから外側に突き出る受筒７０を有し、この受筒７０に蓋８０を着脱可能にした。蓋８０を外した容器本体１０の開口１４を備える天面１３の中央部に受筒７０が突き出ることから、紙容器１の外観性が向上する。
【００２２】
(b)容器本体１０が有する内側天板４０と外側天板５０の間に受筒７０の外縁部７２を挟み込み保持することにより、上述(a)の受筒７０を簡易に設けることができる。
【００２３】
(c)容器本体１０が、容器本体１０の胴部１１を形成する胴板２０と、胴板２０の下端に連設されて容器本体１０の底部１２を形成する底板３０と、胴板２０の上端の一側に連設されて容器本体１０の内側天面部１３Ａを形成する内側天板４０と、胴板２０の上端の他側に連設されて容器本体１０の外側天面部１３Ｂを形成する外側天板５０とを有し、容器本体１０の内側天板４０は、容器本体１０の天面開口１４をその中央部に備えるとともに、該天面開口１４まわりに受筒７０の外縁部７２を着座可能にし、容器本体１０の外側天板５０は、受筒７０の筒部７１を挿着する組込孔５２をその中央部に備え、内側天板４０との間に受筒７０の外縁部７２を挟み込み保持する。従って、容器本体１０を平板状の単一展開紙から折り上げ形成するとともに、折り上げられた容器本体１０に受筒７０を簡易に組込みでき、紙容器１の製作性を向上できる。
【００２４】
上述の紙容器１において、受筒７０を図６に示す紙製受筒９０に代えることもできる。受筒９０は、筒部９１の下端外周部から外方に張り出る多数の脚状外縁部９２を備える。図７は、容器本体１０の内側天板４０の開口１４まわりに受筒９０の外縁部９２を着座した状態を示すものである。容器本体１０と受筒９０を全て紙製とすることにより印刷性を一層向上できる。
【００２５】
（実施例２）（図８、図９）
実施例２の紙容器１Ａが実施例１の紙容器１と異なる点は、容器本体１０の胴部１１を形成する胴板２０の一面の一部に開口１５を備え、この開口１５まわりの胴板２０の内側面に受筒１００の外縁部１０２を接着したことにある。紙容器１Ａは、容器本体１０の胴板２０の開口１５まわりから外側に突き出る受筒１００を有し、この受筒１００に蓋１１０を着脱できる。使用者は、蓋１１０を外した受筒１００の筒部１０１に手を入れ、容器本体１０の内容物を取り出しできる。
【００２６】
受筒１００は、前述の受筒９０（図６）と同様に構成できる。蓋１１０は、前述の蓋８０（図４）と同様に構成できる。
【００２７】
（実施例３）（図１０）
実施例３の紙容器１Ｂが実施例１の紙容器１と異なる点は、蓋８０を蓋１２０に変形したことにある。蓋１２０は、外枠１２１と受板１２２と天面部材１２３と押え板１２４の組立体である。外枠１２１は、紙等からなり、受筒７０の筒部７１に着脱される短筒状をなす。受板１２２は、紙等からなり、外枠１２１の枠内に係入されて外枠１２１の上端カール状の上部係止部１２１Ａに係止されるドーナツ板状をなす。天面部材１２３は、紙、又はプラスチック等からなり、外枠１２１の枠内における受板１２２の下側に係入される外縁部１２３Ａを備えるとともに、外縁部１２３Ａの内周側につながって外枠１２１の枠内から枠外にドーム状等をなす如くに膨出する膨出部１２３Ｂを備える。押え板１２４は、紙等からなり、外枠１２１の枠内に軽圧入する等により係着されて受板１２２との間に、天面部材１２３の外縁部１２３Ａを挟持するドーナツ板状、又は孔なし板状をなす。
【００２８】
蓋体１２０は、外枠１２１、受板１２２、天面部材１２３、押え板１２４を接着することなく、分解可能に組立てて構成され、各種形態の膨出部１２３Ｂを備える天面部材１２３を交換組込みできる。天面部材１２３の膨出部１２３Ｂは、山等の自然物、動物等の形態を採用できる。天面部材１２３の膨出部１２３Ｂは、計量部としても利用できる。天面部材１２３の膨出部１２３Ｂを計量部とするとき、押え板１２４はドーナツ板状をなし、膨出部１２３Ｂには計量目盛線を付すこともできる。
【００２９】
蓋体１２０は、天面部材１２３を透明プラスチック体にて形成することもできる。このとき、押え板１２４がドーナツ板状をなすものとすれば、蓋体１２０の外側から容器本体１０の内容物を視認できる。この紙容器１Ｂによれば、膨出部１２３Ｂの形態として山等の自然物、動物等の形態を採用することにより、紙容器１Ｂの外観性を一層向上できる。膨出部１２３Ｂを計量部として用いることもできる。
【００３０】
以上、本考案の実施例を図面により詳述したが、本考案の具体的な構成はこの実施例に限られるものではなく、本考案の要旨を逸脱しない範囲の設計の変更等があっても本考案に含まれる。
【図面の簡単な説明】
【００３１】
【図１】図１は実施例１の紙容器を示す模式断面図である。
【図２】図２は紙容器の胴部を折り上げた状態を示す模式図である。
【図３】図３は紙容器の内側天板を折り込んだ状態を示す模式図である。
【図４】図４は紙容器の外側天板を折り込んだ状態を示す模式図である。
【図５】図５はプラスチック製受筒を示す模式図である。
【図６】図６は紙製受筒を示す模式図である。
【図７】図７は紙容器の変形例を示す模式図である。
【図８】図８は実施例２の紙容器を示す模式断面図である。
【図９】図９は受筒の接着状態を示す模式図である。
【図１０】図１０は実施例３の紙容器を示す模式断面図である。
【００３２】
１、１Ａ、１Ｂ  紙容器
１０  容器本体
１１  胴部
１２  底部
１３  天面
１３Ａ  内側天面部
１３Ｂ  外側天面部
１４、１５  開口
２０  胴板
３０  底板
４０  内側天板
５０  外側天板
５２  組込孔
７０  受筒
７１  筒部
７２  外縁部
８０  蓋
９０  受筒
９１  筒部
９２  外縁部
１００  受筒
１０１  筒部
１０２  外縁部
１１０  蓋
【図１】
0003140638.tif 000003
【図２】
0003140638.tif 000004
【図３】
0003140638.tif 000005
【図４】
0003140638.tif 000006
【図５】
0003140638.tif 000007
【図６】
0003140638.tif 000008
【図７】
0003140638.tif 000009
【図８】
0003140638.tif 000010
【図９】
0003140638.tif 000011
【図１０】
0003140638.tif 000012